(57)【特許請求の範囲】
【請求項１】
ワイパモータのギヤケースのギヤ収納部を閉塞する樹脂製のギヤケースカバーの内底部に、正面壁に自身の上面壁からギヤケースカバーの高さ方向に沿って延びる圧入溝を有した取付台部を形成し、その取付台部の正面壁に沿ってギヤケースカバーの内底部に、ワイパモータの電気回路を構成する導電板を挿入し、該導電板の本体部側縁に突設した爪片を前記圧入溝に取付台部の上端から圧入することにより、前記導電板をギヤケースカバーに固定したワイパモータにおける導電板の固定構造において、
前記爪片を、先端部を上に向けて導電板の本体部側縁に突設し、該爪片を前記導電板の本体部に連なるその基端部側から前記圧入溝に圧入することで、導電板をギヤケースカバーに固定したことを特徴とするワイパモータにおける導電板の固定構造。
【発明の詳細な説明】
【０００１】
【発明の属する技術分野】
本発明は、自動車のワイパモータにおける導電板の固定構造に係り、特に、ギヤケースカバーの内底部にモータ電力の供給や信号の伝達、信号の検出等の目的で導電板を配置する際の導電板の固定構造に関する。
【０００２】
【従来の技術】
自動車のワイパモータは、モータ部と減速部とから構成され、減速部のハウジングは、ギヤケースと、該ギヤケースのギヤ収納部を塞ぐギヤケースカバーとから構成されている。一般にワイパモータの中の電気回路を構成する部品類は、ワイパアームの定位置停止スイッチをカバー内に組み込む関係から、ほとんどギヤケースカバー内に組み込むことが多い。
【０００３】
図３は従来のギヤケースカバー１の内部構成を示している。このギヤケースカバー１は樹脂の成形品より構成され、その内部にはモータ部への電力供給や信号伝達あるいは信号検出等の目的で、複数の導電板（端子板や接点板等）２〜５が配置されている。そのうち、いくつかの導電板３、４、５の一部は、ギヤケースカバー１の内底部に挿入され、導電板３、４、５の本体部３Ａ、４Ａ、５Ａの側縁に突設した各爪片１０を、ギヤケースカバー１内の取付台部１１に形成した圧入溝１２に上方（ギヤケースカバーの開口側）から圧入することで、ギヤケースカバー１に固定されている。
【０００４】
図４は図３における爪片１０と圧入溝１２の関係を示した図で、（ａ）は図３のＩＶａ−ＩＶａ矢視断面図、（ｂ）は図３のＩＶｂ−ＩＶｂ矢視断面図、（ｃ）は図４（ａ）のＩＶｃ矢視部の爪片係合前の状態を示す斜視図である。
【０００５】
図４（ａ）〜（ｃ）に示すように、導電板５の爪片１０を係合するためのギヤケースカバー１側の取付台部１１は、ギヤケースカバー１の内底面１ａから内側面１ｂにかけてのコーナー部に一体に成形されている。取付台部１１は、ギヤケースカバー１の内底面１ａに対して略垂直な正面壁１１ａと、同内底面１ａに対して略平行な上面壁１１ｂとを有する直方体ブロック形に形成され、その正面壁１１ａには、上面壁１１ｂからギヤケースカバー１の高さ方向に沿って延びる圧入溝１２が形成されている。なお、圧入溝１２の底面の上端部には、上方からの爪片１０の挿入を容易にするための面取部１２ａが設けられている。
【０００６】
一方、従来では、導電板５側の爪片１０を、先端部１０ａを下に向けて本体部５Ａの側縁に突設しており、導電板５をギヤケースカバー１に固定する際には、取付台部１１の正面壁１１ａに沿ってギヤケースカバー１の内底部に導電板５を挿入し、爪片１０をその下方に向けた先端部側から圧入溝１２に圧入することで取り付けている。なお、爪片１０の両側縁には、圧入溝１２に爪片１０を圧入した状態で、圧入溝１２の両内側壁に食い込んで上方への抜けを阻止するクサビ形の突起１０ｂが設けられている。
【０００７】
【発明が解決しようとする課題】
ところで、下向きに突設した爪片１０を、その先端部１０ａ側から圧入溝１２に圧入すると、図４（ｂ）に示すように、爪片１０の高さ分だけ、導電板５の本体部５Ａが持ち上がった位置に支持されることになる。従って、導電板５の本体部５Ａの高さに応じて他の部品を組み付ける必要がある場合には、他の部品の組み付け高さが、導電板５の本体部５Ａの高さが持ち上がった分だけ高くなってしまい、結果的に、ギヤケースカバー１の高さＨ１が高くなってしまうという問題がある。この点は、爪片１０を用いて固定する他の導電板３、４についても同様である。
【０００８】
本発明は、上記事情を考慮し、導電板をギヤケースカバーの内底面にできるだけ近づけて配置することができ、それにより、ギヤケースカバーの高さを小さくしてワイパモータのコンパクト化に貢献することのできる、ワイパモータにおける導電板の固定構造を提供することを目的とする。
【０００９】
【課題を解決するための手段】
請求項１の発明は、ワイパモータのギヤケースのギヤ収納部を閉塞する樹脂製のギヤケースカバーの内底部に、正面壁に自身の上面壁からギヤケースカバーの高さ方向に沿って延びる圧入溝を有した取付台部を形成し、その取付台部の正面壁に沿ってギヤケースカバーの内底部に、ワイパモータの電気回路を構成する導電板を挿入し、該導電板の本体部側縁に突設した爪片を前記圧入溝に取付台部の上端から圧入することにより、前記導電板をギヤケースカバーに固定したワイパモータにおける導電板の固定構造において、前記爪片を、先端部を上に向けて導電板の本体部側縁に突設し、該爪片を前記導電板の本体部に連なるその基端部側から前記圧入溝に圧入することで、導電板をギヤケースカバーに固定したことを特徴とする。
【００１０】
本発明では、爪片をその先端部を上に向けて導電板の本体部に突設し、その爪片を基端部側から圧入溝に圧入することで、導電板をギヤケースカバーに固定している。従って、爪片の高さに関係なく、導電板の本体部を、ギヤケースカバーの内底面にできるだけ近づけた位置に固定することができ、他の部品の取り付け高さを限界まで低くして、結果的にワイパモータのコンパクト化に貢献することができる。
【００１１】
【発明の実施の形態】
以下、本発明の実施形態を図面に基づいて説明する。
図１は実施形態の構造を採用したワイパモータにおけるギヤケースカバー３１の内部構成を示している。このギヤケースカバー３１は、ワイパモータのギヤケースのギヤ収納部を閉塞する樹脂の成形品で、その内部にはモータ部への電力供給や信号伝達あるいは信号検出等の目的で、複数の導電板３２、３３、３４、３５が配置されている。そのうち、導電板３３、３４、３５の一部は、ギヤケースカバー３１の内底部に挿入され、導電板３３、３４、３５の本体部３３Ａ、３４Ａ、３５Ａの側縁に突設した各爪片２０を、ギヤケースカバー３１内の取付台部２１に形成した圧入溝２２に上方（ギヤケースカバーの開口側）から圧入することで、ギヤケースカバー３１に固定されている。
【００１２】
図２は図１における爪片２０と圧入溝２２の関係を示した図で、（ａ）は図１のＩＩａ−ＩＩａ矢視断面図、（ｂ）は図１のＩＩｂ−ＩＩｂ矢視断面図、（ｃ）は図２（ａ）のＩＩｃ矢視部の爪片係合前の状態を示す斜視図である。
【００１３】
図２（ａ）〜（ｃ）に示すように、導電板３５の爪片２０を係合するためのギヤケースカバー３１側の取付台部２１は、ギヤケースカバー３１の内底面３１ａから内側面３１ｂにかけてのコーナー部に一体に成形されている。取付台部２１は、ギヤケースカバー３１の内底面３１ａに対して略垂直な正面壁２１ａと、同内底面３１ａに対して略平行な上面壁２１ｂとを有する直方体ブロック形に形成され、その正面壁２１ａには、上面壁２１ｂからギヤケースカバー３１の高さ方向に沿って延びる圧入溝２２が形成されている。なお、圧入溝２２の底面の上端部には、上方からの爪片２０の挿入を容易にするための面取部２２ａが設けられている。また、取付台部２１の正面壁２１ａの前側には、導電板３５の本体部３５Ａを載せる受壁２１ｃが設けられている。
【００１４】
一方、爪片２０は、先端部２０ａを上に向けて、導電板３５の本体部３５Ａの側縁に突設されており、導電板３５をギヤケースカバー３１に固定する際には、取付台部２１の正面壁２１ａに沿ってギヤケースカバー３１の内底部に導電板３５を挿入し、爪片２０を、導電板３５の本体部３５Ａに連なるその基端部２０ｃ側から圧入溝２２に圧入することで取り付けている。なお、爪片２０の両側縁には、圧入溝２２に爪片２０を圧入した状態で、圧入溝２２の両内側壁に食い込んで上方への抜けを阻止するクサビ形の突起２０ｂが設けられている。
【００１５】
このように本実施形態では、爪片２０をその先端部２０ａを上に向けて導電板３５の本体部３５Ａに突設し、その爪片２０を、導電板３５の本体部３５Ａに連なる基端部２０ｃ側から圧入溝２２に圧入することで、導電板３５をギヤケースカバー３１に固定しているので、爪片２０の高さに関係なく、導電板３５の本体部３５Ａを、ギヤケースカバー３１の内底面３１ａにできるだけ近づけた位置に固定することができる。そして、取付台部２１の受壁２１ｃの厚さは薄いので、その厚さの製造ばらつきは小さく、それゆえ、導電板３５の本体部分３５Ａは、受壁２１ｃによって精度よく位置決めされる。
【００１６】
なお、他の導電板３３、３４についても、同様に、上向きに突設した爪片２０を、導電板３３、３４の本体部３３Ａ、３４Ａに連なる基端部２０ｃ側から圧入溝２２に圧入することで、導電板３３、３４をギヤケースカバー３１に固定しており、これにより、爪片２０の高さに関係なく、導電板３３、３４の本体部３３Ａ、３４Ａを、ギヤケースカバー３１の内底面３１ａにできるだけ近づけた位置に固定している。
【００１７】
【発明の効果】
以上説明したように、本発明によれば、爪片の向きを従来と逆の上向きに設定して基端側から圧入溝に差し込んでいるので、導電板をギヤケースカバーの内底面にできるだけ近づけて配置することができる。その結果、ギヤケースカバーの高さを小さくして、ワイパモータのコンパクト化に貢献することができる。
【図面の簡単な説明】
【図１】本発明の実施形態の構造を含んだワイパモータにおけるギヤケースカバーの内部構成を示す平面図である。
【図２】図１における爪片２０と圧入溝２２の関係を示した図で、（ａ）は図１のＩＩａ−ＩＩａ矢視断面図、（ｂ）は図１のＩＩｂ−ＩＩｂ矢視断面図、（ｃ）は図２（ａ）のＩＩｃ矢視部の爪片係合前の状態を示す斜視図である。
【図３】従来のワイパモータにおけるギヤケースカバーの内部構成を示す平面図である。
【図４】図３における爪片１０と圧入溝１２の関係を示した図で、（ａ）は図３のＩＶａ−ＩＶａ矢視断面図、（ｂ）は図３のＩＶｂ−ＩＶｂ矢視断面図、（ｃ）は図４（ａ）のＩＶｃ矢視部の爪片係合前の状態を示す斜視図である。
【符号の説明】
２０  爪片
２０ａ  先端部
２０ｃ  基端部
２１  取付台部
２１ａ  正面壁
２１ｂ  上面壁
２２  圧入溝
３１  ギヤケースカバー
３１ａ  内底面
３３，３４，３５  導電板
３３Ａ，３４Ａ，３５Ａ  本体部
【図１】
0003863062.tif 000002
【図２】
0003863062.tif 000003
【図３】
0003863062.tif 000004
【図４】
0003863062.tif 000005